(57)【特許請求の範囲】
【請求項１】
色差信号（Ｒ−Ｙ）及び色差信号（Ｂ−Ｙ）を用いて赤色成分を検出する赤色検出手段と、前記赤色検出手段の出力信号を用いてＹ信号を補正するＹ信号補正手段とを具備し、前記Ｙ信号補正手段は、前記赤色検出手段の出力信号を利得制御する第１の利得制御手段と、Ｙ信号から前記第１の利得制御手段の出力を減算する第２の減算手段とを有することを特徴とする色補正回路。
【請求項２】
前記赤色検出手段の出力信号を用いて前記色差信号（Ｒ−Ｙ）の補正を行う（Ｒ−Ｙ）信号補正手段とを具備し、前記（Ｒ−Ｙ）信号補正手段は、前記赤色検出手段の出力信号を利得制御する第２の利得制御手段と、前記色差信号（Ｒ−Ｙ）と前記第２の利得制御手段の出力とを加算する第１の加算手段とを有することを特徴とする請求項１記載の色補正回路。
【請求項３】
前記赤色検出手段の出力信号を用いて前記色差信号（Ｂ−Ｙ）の振幅を低減させる（Ｂ−Ｙ）信号補正手段とを具備することを特徴とする請求項１乃至２のいずれか１項に記載の色補正回路。
【請求項４】
前記（Ｂ−Ｙ）信号補正手段は、前記赤色検出手段の出力信号を利得制御する第３の利得制御手段と、前記色差信号（Ｂ−Ｙ）の極性を判別する極性判別手段と、
前記第３の利得制御手段の出力の極性を反転させる極性反転手段と、前記色差信号（Ｂ−Ｙ）が正極性の場合は前記極性反転手段の出力信号を出力し、前記色差信号（Ｂ−Ｙ）が負極性の場合は前記第３の利得制御手段の出力信号を出力する信号選択手段と、前記信号選択手段の出力信号と前記色差信号（Ｂ−Ｙ）とを加算する第２の加算手段とを具備することを特徴とする請求項３記載の色補正回路。
【請求項５】
前記（Ｂ−Ｙ）信号補正手段は、前記赤色検出手段の出力信号を利得制御する第３の利得制御手段と、前記色差信号（Ｂ−Ｙ）の極性を判別し、＋１或いは−１信号を出力する極性判別手段と、前記極性判別手段の出力と前記第３の利得制御手段の出力とを乗算する乗算手段と、前記色差信号（Ｂ−Ｙ）に前記乗算手段の出力を加算する第３の加算手段とを具備することを特徴とする請求項３記載の色補正回路。
【請求項６】
前記赤色検出手段は、色差信号（Ｒ−Ｙ）を所定のレベルでスライスし、出力するスライス手段と、色差信号（Ｂ−Ｙ）の絶対値を算出する絶対値出力手段と、前記スライス手段の出力から前記絶対値出力手段の出力を減算する第１の減算手段と、前記第１の減算手段の出力の負極性部を除去し、正極性部のみを出力するリミッタ手段とを具備することを特徴とする請求項１乃至５のいずれか１項に記載の色補正回路。
【発明の詳細な説明】
技術分野
本発明はカラーテレビジョン受像機において純赤色の検出回路と、それを使用して色差信号の補正し、赤色を強調する色補正回路に関するものである。
背景技術
近年、受像機の大型化に伴い高付加価値化が進み、高品位なカラーテレビジョン受像機として、赤色の色再現性の優れたものが望まれている。
図６、図８は、特開平５−２３３６６７号公報における夫々赤色検出回路、色補正回路のブロック図である。
図６、図７を参照しながら、赤色検出回路１０１の動作を説明する。図６に従来の赤色検出回路のブロック図を示し、図７には、その赤色検出回路の各部の信号波形を示す。赤色検出回路１０１は、絶対値出力回路１０１ｂと、減算器１０１ｃと、リミッタ１０１ｄとで構成されている。図７で、波形Ａ、Ｂは夫々赤色検出回路に入力される色差信号（Ｒ−Ｙ）、（Ｂ−Ｙ）で、色差信号（Ｒ−Ｙ）は色差信号（Ｂ−Ｙ）より９０°位相が遅れている。色差信号（Ｂ−Ｙ）は絶対値出力回路１０１ｂで、その絶対値｜Ｂ−Ｙ｜が出力され（図７の波形Ｃ）、減算器１０１ｃに入力される。減算器１０１ｃでは、色差信号（Ｒ−Ｙ）（図７の波形Ａ）から絶対値出力回路１０１ｂの出力の｜Ｂ−Ｙ｜が減算され（図７の波形Ｄ）、リミッタ１０１ｄで正極性部分のみが取り出される（図７の波形Ｅ）。この信号は９０°位相付近にあるので、入力色度信号の赤色に相当する信号となる。
次に、図８に示す従来の色補正回路のブロック図を参照しながら、その動作を説明する。色補正回路は赤色検出回路１０１と、色差信号（Ｒ−Ｙ）用の振幅制御回路１０２と、色差信号（Ｂ−Ｙ）用の振幅制御回路１０３とで構成されている。振幅制御回路１０２には、色差信号（Ｒ−Ｙ）と赤色検出回路１０１からの赤色検出信号（図７の波形Ｅ）が入力され、色差信号（Ｒ−Ｙ）は赤色検出信号により振幅が小さくなる方向に制御される。振幅制御回路１０３も、色差信号（Ｂ−Ｙ）と赤色検出信号が入力され、色差信号（Ｂ−Ｙ）も赤色検出信号により振幅が小さくなる方向に制御される。従って、赤色の強い信号は信号が抑圧され、過飽和になるのが防止される。
然し、この回路は赤色の飽和を防止するのが目的であり、本発明の意図する赤色の再現性の改善としては、別の工夫が必要となる。本発明は、赤色の検出回路では純赤色に近い信号を検出できるようにし、色補正回路ではＹ信号を赤色検出信号により減少させ、色度信号Ｃを赤色検出信号により増大と共に色位相を赤色方向に近づけるようにすることにより、Ｙ／Ｃ比を減少させ、赤色を飽和させずにより赤色を強調し、赤色の再現性を改善するものである。
発明の開示
本発明の純赤色検出回路は、スライス回路で、副搬送波で変調された（Ｒ−Ｙ）色差信号を所定のレベルでスライスし、絶対値回路で、副搬送波で変調された（Ｂ−Ｙ）色差信号の絶対値を生成し、減算器で、スライスされた信号から色差信号（Ｂ−Ｙ）の絶対値を減算し、リミッタで正極性部のみを取り出す。出力信号は色度信号の中の９０°近辺の位相範囲の狭い信号となり、純赤色が検出されることになる。
本発明の色補正回路は、上記純赤色検出回路、Ｙ信号補正ブロック、（Ｒ−Ｙ）信号補正ブロック、（Ｂ−Ｙ）信号補正ブロックより構成され、
Ｙ信号補正ブロックでは、Ｙ信号から純赤色検出回路で検出した純赤色信号を減じた輝度信号Ｙ’を出力し、
（Ｒ−Ｙ）信号補正ブロックでは、色差信号（Ｒ−Ｙ）に純赤色検出回路で検出した純赤色信号を加算した色差信号（Ｒ−Ｙ）’を出力し、
（Ｂ−Ｙ）信号補正ブロックでは、色差信号（Ｂ−Ｙ）から純赤色検出回路で検出した純赤色信号を減じた色差信号（Ｂ−Ｙ）’を出力することにより、
Ｙ／Ｃ比を減少し、或るレベル以上の赤色を含む色度信号を更に赤色に近づけ、赤色を飽和させることなしに、赤色を強調し、赤色の再現性を改善することができる。
【図面の簡単な説明】
図１は本発明の一実施例による純赤色検出回路のブロック図。
図２は本発明の一実施例による純赤色検出回路のブロック図の各部の波形図。
図３は本発明の一実施例による色補正回路のブロック図。
図４は本発明の一実施例による色補正回路において、色度信号のベクトルを（Ｒ−Ｙ）軸に近づくよう回転させる方法を説明する色位相座標。
図４Ａは色度信号Ｃのベクトルが第１象限にある時の色位相座標。
図４Ｂは色度信号Ｃのベクトルが第２象限にある時の色位相座標。
図５は本発明の一実施例による色補正回路の（Ｂ−Ｙ）信号補正ブロックの別の構成ブロック図。
図６は従来の赤色検出回路のブロック図。
図７は従来の赤色検出回路のブロック図の各部の波形図。
図８は従来の色補正回路のブロック図。
発明を実施するための最良の形態
（実施例１）
図１、図２を参照しながら、純赤色検出回路１の動作を説明する。本実施の形態において処理される信号は全てデジタルデータである。図１に本発明の純赤色検出回路のブロック図を示し、図２には、その純赤色検出回路の各部の信号をアナログ信号で表現した波形を示す。純赤色検出回路１は、スライス回路１ａ、絶対値出力回路１ｂ、減算器１ｃと、リミッタ１ｄとで構成されている。前述の従来の赤色検出回路１０１の構成に、スライス回路１ａが追加されている。図２で、波形Ａ、Ｂは夫々純赤色検出回路に入力される色差信号（Ｒ−Ｙ）、色差信号（Ｂ−Ｙ）で、色差信号（Ｒ−Ｙ）は色差信号（Ｂ−Ｙ）より９０°位相が遅れている。色差信号（Ｒ−Ｙ）は、スライス回路１ａで、スライスレベル＋／−Ｌｓでスライスされ、スライスレベル以上の信号が出力され（図２の波形Ｃ）、減算器１ｃに入力される。色差信号（Ｂ−Ｙ）は、絶対値出力回路１ｂでその絶対値｜Ｂ−Ｙ｜が出力され（図２の波形Ｄ）、減算器１ｃに入力される。減算器１ｃでは、スライス回路１ａの出力（図２の波形Ｃ）から絶対値出力回路１ｂの出力の（図２の波形Ｄ）が減算され（図２の波形Ｅ）、リミッタ１ｄで正極性部分のみが取り出される（図２の波形Ｆ）。この信号は、スライス回路を付加したことにより、検出信号の波形の幅が狭くなり（従来例の図７の波形Ｆの△t’に対し、本発明では図２の波形Ｆの△t）、色位相で表現すれば９０°付近、即ち（Ｒ−Ｙ）軸近辺に集中した信号が検出されるので、入力色度信号の中の純赤色に近い信号が検出されることになる。
以上のように、本発明の純赤色検出回路によれば、スライスレベル以上の赤色を含む色度信号からのみ赤色検出信号を出力することにより、より純度の高い赤色を検出することができる。
（実施例２）
次に、図３に示す本発明の第２の実施例による色補正回路のブロック図を参照しながら、その動作を説明する。色補正回路は純赤色検出回路１と、Ｙ信号補正ブロック５０、（Ｒ−Ｙ）信号補正ブロック５１、（Ｂ−Ｙ）信号補正ブロック５２とで構成されている。更に、Ｙ信号補正ブロック５０は減算器５０ａと利得制御器５０ｂとで構成され、（Ｒ−Ｙ）信号補正ブロック５１は加算器５１ａと利得制御器５１ｂで構成され、（Ｂ−Ｙ）信号補正ブロック５２は加算器５２ａ、利得制御器５２ｂ、極性反転回路５２ｃ、信号選択回路５２ｄ、符号判定回路５２ｅとで構成されている。純赤色検出回路１は色差信号（Ｒ−Ｙ）と色差信号（Ｂ−Ｙ）を入力され、純赤色検出信号△Rを出力し、純赤色検出信号△RはＹ信号補正ブロック５０と（Ｒ−Ｙ）信号補正ブロック５１に入力される。
Ｙ信号補正ブロック５０に入力された純赤色検出信号△Rは利得制御器５０ｃで利得制御され、減算器５０ａに入力される。減算器５０ａでは輝度信号Ｙから利得制御された純赤色検出信号△R’を減算し、出力する。この出力信号は純赤色部の輝度が若干抑えられた輝度信号Ｙ’となる。
（Ｒ−Ｙ）信号補正ブロック５１に入力された純赤色検出信号△Rは利得制御器５１ｃで利得制御され、加算器５１ａに入力される。加算器５１ａでは色差信号（Ｒ−Ｙ）に利得制御された純赤色検出信号△R’を加算し、出力する。図４の色位相座標で、色度信号Ｃが第１象限にあっても（図４Ａ）、第２象限にあっても（図４Ｂ）、加算器５１ａの出力は振幅が大きくなった赤色の（Ｒ−Ｙ）’色差信号となる。
（Ｂ−Ｙ）信号補正ブロック５２には、純赤色検出回路１の出力△Rと色差信号（Ｂ−Ｙ）が入力される。入力された純赤色検出回路１の出力△Rは、利得制御器５２ｂで利得制御され（△B’）、極性反転回路５２ｃで極性を反転される（−△B’）。信号選択回路５２ｄには極性反転前と反転後の両信号が入力される。（Ｂ−Ｙ）信号補正ブロック５２のもう一つの入力の色差信号（Ｂ−Ｙ）は、極性判別回路５２ｅでその極性を判別され、信号選択回路５２ｄを切り替える。信号選択回路５２ｄは、極性判別回路５２ｅが入力の色差信号（Ｂ−Ｙ）を正極性と判定した場合は、極性反転回路５２ｃの出力を選択し（図３で信号選択回路の上側の端子に接続）、負極性と判定した場合は、極性反転回路５２ｃの入力を選択する（図３で信号選択回路の下側の端子に接続）ように制御される。加算器５２ａでは、色差信号（Ｂ−Ｙ）に信号選択回路５２ｄの出力の正或いは負の純赤色信号(△B’或いは−△B’)が加算され、出力される。図４の色位相座標で、色度信号Ｃが第１象限にあると（図４Ａ）、色差信号（Ｂ−Ｙ）は正、信号選択回路５２ｄは極性反転回路５２ｃの出力を選択するので、（Ｂ−Ｙ）信号補正ブロック５２の出力は｛（Ｂ−Ｙ）−△B’｝で、その振幅は小さくなる。色度信号Ｃが第２象限にあると（図４Ｂ）、色差信号（Ｂ−Ｙ）は負、信号選択回路５２ｄは極性反転回路５２ｃの入力を選択するので、（Ｂ−Ｙ）信号補正ブロック５２の出力は−（Ｂ−Ｙ）＋△B’＝−｛（Ｂ−Ｙ）−△B’｝で、その振幅はやはり小さくなる。
図４に示すように、色度信号Ｃは第１象限の信号であっても、第２象限の信号であっても、純赤色検出信号によって色差信号の（Ｒ−Ｙ）成分は大きくなり、（Ｂ−Ｙ）成分は小さくなるので、合成された色度信号Ｃ’の位相は（Ｒ−Ｙ）軸に近づき、更に赤色部分では輝度信号Ｙのレベルが純赤色検出信号により下げられているので、Ｙ／Ｃ比は小さくなり、赤色部分の輝度レベルを下げ、赤色部の飽和を防ぎ、赤色に近い色の色相をより赤方向に回転させることにより、赤に含まれる黄色味を抜き、純度の高い赤色が再現されることになる。本発明では赤成分の強い信号に対し、輝度信号Ｙの振幅を抑えることにより飽和を防ぎ、色度信号をより赤い方向に補正することにより、赤色を強調している。
色補正回路を構成する（Ｂ−Ｙ）信号補正ブロックの別の構成ブロックを図５に示す。この（Ｂ−Ｙ）信号補正ブロック１５２は加算器１５２ａ、利得制御器１５２ｂ、乗算器１５２ｆ、符号判定回路１５２ｅとで構成されている。
（Ｂ−Ｙ）信号補正ブロック１５２には、純赤色検出回路１の出力△Rと色差信号（Ｂ−Ｙ）が入力される。入力された純赤色検出回路１の出力△Rは、利得制御器１５２ｂで利得制御され（△B’）、乗算器１５２ｆに入力される。一方、色差信号（Ｂ−Ｙ）は極性判別回路１５２ｅで信号の極性を判別され、色差信号（Ｂ−Ｙ）が正極性なら−１の信号が出力され、負極性なら＋１の信号が出力され、乗算器１５２ｆに入力される。乗算器１５２ｆでは利得制御器１５２ｂの出力の△B’と極性判別回路１５２ｅの出力の＋／−１信号を乗算し、その出力を加算器１５２ａに入力する。従って、乗算器１５２ｆは極性反転回路（図３の５２ｃ）と信号選択回路（図３の５２ｄ）とを組み合わせた回路として働く。加算器１５２ａではもう一つの入力の色差信号（Ｂ−Ｙ）に乗算器１５２ｆの出力が加算される。乗算器１５２ｆが図３の極性反転回路（５２ｃ）と信号選択回路（５２ｄ）を組み合わせた回路として働くので、この（Ｂ−Ｙ）信号補正ブロック１５２も前述の（Ｂ−Ｙ）信号補正ブロック５２と全く同じ働作をする。
図４の色位相座標で、色度信号Ｃが第１象限にあると（図４Ａ）、（Ｂ−Ｙ）信号は正、乗算器１５２ｆの出力は−△B’となるので、（Ｂ−Ｙ）信号補正ブロック１５２の出力は｛（Ｂ−Ｙ）−△B’｝で、その振幅は小さくなる。色度信号Ｃが第２象限にあると（図４Ｂ）、色差信号（Ｂ−Ｙ）は負、乗算器１５２ｆの出力は＋△B’となるので、（Ｂ−Ｙ）信号補正ブロック１５２の出力は−（Ｂ−Ｙ）＋△B’＝−｛（Ｂ−Ｙ）−△B’｝で、その振幅はやはり小さくなる。
産業上の利用可能性
以上のように本発明の純赤検出回路によれば、色差信号（Ｒ−Ｙ）を所定のレベルでスライスした後、色差信号（Ｂ−Ｙ）の絶対値を減算し、その正極性部のみを取り出すことにより、従来より純度の高い赤色信号を検出できる。
本発明の純赤色検出回路を用いた色補正回路によれば、輝度信号Ｙについては、赤色の飽和度が高い部分のレベルを下げてＹ／Ｃ比を下げ、さらに色度信号Ｃについては、色差信号（Ｒ−Ｙ）に対しては純赤色検出信号を加えて振幅を増大し、色差信号（Ｂ−Ｙ）に対しては純赤色検出信号により振幅を小さくすることにより、色度信号Ｃを（Ｒ−Ｙ）軸に近づくように回転させることができる。
上記回路を使用したカラーテレビジョン受像機では、赤色の強い部分での飽和を防ぎ、赤に含まれる黄色味を抜き、純度の高い赤色を再現し、色再現性の優れた画像が得られる。
【図１】
0003860221.tif 000002
【図２】
0003860221.tif 000003
【図３】
0003860221.tif 000004
【図４Ａ】
0003860221.tif 000005
【図４Ｂ】
0003860221.tif 000006
【図５】
0003860221.tif 000007
【図６】
0003860221.tif 000008
【図７】
0003860221.tif 000009
【図８】
0003860221.tif 000010
0003860221.tif 000011